(57)【特許請求の範囲】
【請求項１】
地盤上に設けられた底部と、この底部上に設けられた上方に凸のほぼ半球状のコンクリート製の壁部とからなり、前記底部と壁部で囲まれた閉塞空間にごみが投入されるドーム型ごみ処分場において、
前記底部は、
前記地盤上に敷設された遮水性を有する第１の遮水シートと、
前記第１の遮水シートの上に設けられた水の透過が可能な透水層と、
前記透水層の上に設けられたコンクリート底版と、
前記コンクリート底版の上に打設された遮水性を有するアスファルトコンクリート層と、
前記アスファルトコンクリート層の上に敷設された遮水性を有する第２の遮水シートと、
前記第２の遮水シートの上に敷設された遮水シートの保護層とを備えており、前記コンクリート底版は、均しコンクリート層の上に配筋された鉄筋と、この鉄筋が埋設されるように均しコンクリート層の上に打設されたコンクリートからなり、
前記壁部は前記コンクリート底版から起立している、
ことを特徴とするドーム型ごみ処分場の底部構造。
【請求項２】
前記地盤と第１の遮水シートとの間、および、前記アスファルトコンクリート層と第２の遮水シートとの間にそれぞれ不織布が敷設されていることを特徴とする請求項１記載のドーム型ごみ処分場の底部構造。
【請求項３】
前記透水層の上にコンクリートが打設されて均しコンクリート層が設けられ、前記コンクリート底版はこの均しコンクリート層の上に設けられていることを特徴とする請求項１または２記載のドーム型ごみ処分場の底部構造。
【請求項４】
前記保護層は透水性を有し、前記地盤と第１の遮水シートとの間に敷設された不織布と、前記透水層と、前記保護層には、漏水を検出するための検出線が埋設されていることを特徴とする請求項１、２または３記載のドーム型ごみ処分場の底部構造。
【発明の詳細な説明】
【０００１】
【発明の属する技術分野】
本発明はドーム型ごみ処分場の底部構造に関する。
【０００２】
【従来の技術】
地盤上に設けられた底部と、この底部上に設けられた上方に凸のほぼ半球状のコンクリート製の壁部とからなるドーム型ごみ処分場が、近年提供されつつある。
このドーム型ごみ処分場の多くは、膜体を上方に凸のほぼ半球状に膨らませ、この膜体の上にコンクリートを吹き付け、硬化させて壁部を構築できることから、コンクリート型枠の組み立て、撤去作業が不要となり、工期の短縮化、コストダウンを図れるなどの利点を有している。
ドーム型ごみ処分場では、底部と半球状の壁部によりその内部に閉塞空間を形成し、この閉塞空間にごみを投入していくものであり、閉塞空間内でごみが満杯になったところでドーム型ごみ処分場に盛り土され、跡地として公園などに利用されるものである。
【０００３】
【発明が解決しようとする課題】
ところでこのようなドーム型ごみ処分場においては、先々跡地利用できるように、投入されたごみの安定化処理を行なっておく必要がある。ここで安定化処理とは、ごみの中に含まれている有害成分を取り除くか、雨水や地下水に触れても溶出しないような処理をすることである。
この安定化処理はごみ処分場がドーム型で閉塞空間を有することから、この閉塞空間内で行なってしまうことが好ましい。
その場合、前提として、例えば、ごみの中の水分が底部から外部に漏れないように底部が十分な遮水機能を備えていることが前提となる。
本発明は前記事情に鑑み案出されたものであって、本発明の目的は、底部が十分な遮水機能を備え、内部の閉塞空間でごみの安定化処理を行なう上で有利なドーム型ごみ処分場の底部を提供することにある。
【０００４】
【課題を解決するための手段】
前記目的を達成するため本発明は、地盤上に設けられた底部と、この底部上に設けられた上方に凸のほぼ半球状のコンクリート製の壁部とからなり、前記底部と壁部で囲まれた閉塞空間にごみが投入されるドーム型ごみ処分場において、前記底部は、前記地盤上に敷設された遮水性を有する第１の遮水シートと、前記第１の遮水シートの上に設けられた水の透過が可能な透水層と、前記透水層の上に設けられたコンクリート底版と、前記コンクリート底版の上に打設された遮水性を有するアスファルトコンクリート層と、前記アスファルトコンクリート層の上に敷設された遮水性を有する第２の遮水シートと、前記第２の遮水シートの上に敷設された遮水シートの保護層とを備えており、前記コンクリート底版は、均しコンクリート層の上に配筋された鉄筋と、この鉄筋が埋設されるように均しコンクリート層の上に打設されたコンクリートからなり、前記壁部は前記コンクリート底版から起立していることを特徴とする。
また、本発明は、前記地盤と第１の遮水シートとの間、および、前記アスファルトコンクリート層と第２の遮水シートとの間にそれぞれ不織布が敷設されていることを特徴とする。
また、本発明は、前記透水層の上にコンクリートが打設されて均しコンクリート層が設けられ、前記コンクリート底版はこの均しコンクリート層の上に設けられていることを特徴とする。
また、本発明は、前記保護層が透水性を有し、前記地盤と第１の遮水シートとの間に敷設された不織布と、前記透水層と、前記保護層には、漏水を検出するための検出線が埋設されていることを特徴とする。
【０００５】
本発明では、ドーム型ごみ処分場の底部が、第１の遮水シートと、アスファルトコンクリート層と、第２の遮水シートとの三つの遮水性を有するシートまたは層を備えて構成されているので、十分な遮水機能が発揮され、閉塞空間内でごみの安定化処理を行なう上で極めて有利となる。
また、地盤に不等沈下などが生じコンクリート底版にひびなどが入っても、アスファルトコンクリート層がこのひびなどの変形に追従し遮水機能を保持しつつ変形するので、不等沈下などにも対応でき、ドーム型ごみ処分場のメンテナンスを行なう上で極めて有利となる。
【０００６】
【発明の実施の形態】
以下、本発明の実施の形態を図面に基づいて説明する。
図１はドーム型ごみ処分場の断面正面図、図２は底部部分の拡大断面図を示す。
ドーム型ごみ処分場１２は、底部１４と、この底部上に設けられた上方に凸のほぼ半球状（ドーム型）のコンクリート製の壁部１６とからなり、それらの内部に閉塞空間１８が形成されている。
前記壁部１６にはごみ投入口２０が設けられ、ごみ投入口２０は蓋２２により開閉されるように構成され、図１において符号２４はごみ投入口２０に至るように盛り土されたダンプトラック走行用の道路を示し、また、符号２６は閉塞空間１８に投入されたごみを示す。
【０００７】
前記底部１４は、図２に示すように、地盤２８上に敷設された不織布３２と、不織布３２の上に敷設された第１の遮水シート３４と、第１の遮水シート３４の上に設けられた透水層３６と、透水層３６の上に打設された均しコンクリート層３８と、均しコンクリート層３８の上に設けられたコンクリート底版４０と、コンクリート底版４０の上に打設されたアスファルトコンクリート層４２と、アスファルトコンクリート層４２の上に敷設された不織布４４と、不織布４４の上に敷設された第２の遮水シート４６と、第２の遮水シート４６の上に敷設された遮水シート４６の保護層４８とを備えている。
【０００８】
前記地盤２８上に敷設された不織布３２は第１の遮水シート３４を保護するために設けられたものであり、厚さは例えば約１０ｍｍ程度である。不織布３２は他の部材に変えることも、あるいは、地盤の性状によっては省くことも可能である。
第１の遮水シート３４は水の透過を遮断するように形成されており、例えば、遮水性を有する厚さが約１．５ｍｍ程度の合成樹脂製のシートが用いられる。
【０００９】
本実施の形態では、前記不織布３２中に、漏水検出システムを構成する検出線５０が敷設されている。
前記漏水検出システムは、水が第１の遮水シート３４を透過して不織布３２への漏水が発生した場合に、その漏水が発生したこと、およびその漏水発生箇所を検出するものであり、漏水検知システムは検出線５０を備えている。
前記検出線５０は、比較的電気抵抗の高い材料からなる抵抗線と電気抵抗の低い導線とを、不織布などのような水に濡れることで絶縁性を失う絶縁材で互いの間を絶縁し撚り合わせて構成されている。この検出線５０は不織布３２のほぼ全域にわたり分布するように複数本が所定の間隔をおいて配設されている。
各検出線５０の抵抗線はその一端が接地され、他端には所定の電圧が印加されており、どこか一箇所で漏水が発生したならば、その漏水箇所に最も近い検出線５０の部分において、絶縁材が絶縁性を失うため、互いに擦り合わされている抵抗線と導線とが短絡状態となる。そして、その短絡箇所における抵抗線の電圧が導線を介して検出される。従って、ある検出線５０の導線に電圧が発生することによって漏水が発生したことを検出でき、また、その電圧の大きさから、その検出線５０の長さ方向のどの位置に置いて漏水が発生したかを検出することができる。このように漏水が発生したことが検出されたならば、その漏水箇所の修理が行われる。
【００１０】
前記透水層３６は砂などが所定の厚さ（例えば約１５０ｍｍ程度）に敷設されることで構成され、透水性を有している。この透水層３６は、第１の遮水シート３４を保護し、また、検出線５２を埋設するためのものであり、透水層３６には前記と同様に漏水検出システムを構成する検出線５２が埋設されている。
前記均しコンクリート層３８は、コンクリート底版４０を補強するもので、例えば約１００ｍｍ程度の厚さで設けられ、地盤の性状により、あるいは、コンクリート底版４０を厚く強固にすることなどで省略可能である。
【００１１】
前記コンクリート底版４０は均しコンクリート層３８の上に設けられ、均しコンクリート層３８の上に配筋された鉄筋と、この鉄筋が埋設されるように均しコンクリート層３８の上に打設されるコンクリートとにより例えば約３００ｍｍ程度の厚さで設けられ、前記壁部１６はこのコンクリート底版４０から立設されている。
前記アスファルトコンクリート層４２は遮水性を有し、遮水機能を保持しつつ変形可能であり、例えば、約１２５ｍｍ程度の厚さで設けられている。
【００１２】
前記不織布４４は第２の遮水シート４６を保護するために設けられたものであり、例えば、約１０ｍｍ程度の厚さであり、不織布４４は他の部材に変えることも、あるいは、省くことも可能である。
前記第２の遮水シート４６は、第１の遮水シート３４と同様に、水の透過を遮断するように形成されており、例えば、厚さが約１．５ｍｍ程度の遮水性を有する合成樹脂製のシートが用いられる。
前記保護層３６は砂などが所定の厚さ（例えば約３００ｍｍ程度）に敷設されることで構成され、本実施の形態では透水性を有している。この保護層４８は、第２の遮水シート４６を保護し、また、検出線５４を埋設するためのものであり、保護層４８には前記と同様に漏水検出システムを構成する検出線５４が埋設されている。
【００１３】
本実施の形態は前記のように、ドーム型ごみ処分場１２の底部１４が、第１の遮水シート３４と、アスファルトコンクリート層４２と、第２の遮水シート４６との三つの遮水性を有するシートまたは層を備えて構成されているので、十分な遮水機能が発揮され、閉塞空間内でのごみの安定化処理を行なう上で極めて有利となる。
また、コンクリート底版４０の上にアスファルトコンクリート層４２を設けたので、地盤に不等沈下などが生じコンクリート底版４０にひびなどが入っても、アスファルトコンクリート層４２がこのひびなどの変形に追従し遮水機能を保持しつつ変形するので、不等沈下などにも対応可能となり、ドーム型ごみ処分場１２のメンテナンスを行なう上で極めて有利となる。
また、実施の形態のように、第１の遮水シート３４を保護する部材として不織布３２や透水層３６を設け、第２の遮水シート４６を保護する部材として保護層３６を設け、これら不織布３２、透水層３６、保護層３６を透水性を持たせて構成すると、不織布３２、透水層３６、保護層３６は、遮水シートを保護する機能のみならず、漏水により抵抗線と導線を導通させることから漏水検出システムを構成する検出線を埋設でき、漏水検出システムを構築する上でも有利となる。
【００１４】
【発明の効果】
以上の説明で明らかなように本発明は、地盤上に設けられた底部と、この底部上に設けられた上方に凸のほぼ半球状のコンクリート製の壁部とからなり、前記底部と壁部で囲まれた閉塞空間にごみが投入されるドーム型ごみ処分場において、前記底部は、前記地盤上に敷設された遮水性を有する第１の遮水シートと、前記第１の遮水シートの上に設けられた水の透過が可能な透水層と、前記透水層の上に設けられたコンクリート底版と、前記コンクリート底版の上に打設された遮水性を有するアスファルトコンクリート層と、前記アスファルトコンクリート層の上に敷設された遮水性を有する第２の遮水シートと、前記第２の遮水シートの上に敷設された遮水シートの保護層とを備えており、前記コンクリート底版は、均しコンクリート層の上に配筋された鉄筋と、この鉄筋が埋設されるように均しコンクリート層の上に打設されたコンクリートからなり、前記壁部は前記コンクリート底版から起立している構成とした。
そのため、本発明によれば、ドーム型ごみ処分場の底部が十分な遮水機能を発揮し、閉塞空間内でごみの安定化処理を行なう上で極めて有利となり、また、不等沈下などにも対応でき、ドーム型ごみ処分場のメンテナンスを行なう上でも極めて有利となる。
【図面の簡単な説明】
【図１】ドーム型ごみ処分場の断面正面図である。
【図２】ドーム型ごみ処分場の底部の拡大断面図である。
【符号の説明】
１２  ドーム型ごみ処分場
１４  底部
１６  壁部
１８  閉塞空間
３２、４４  不織布
３４  第１の遮水シート
３６  透水層
３８  均しコンクリート層
４０  コンクリート底版
４２  アスファルトコンクリート層
４６  第２の遮水シート
４８  保護層
【図１】
0004030210.tif 000002
【図２】
0004030210.tif 000003